(57)【要約】【課題】目の周囲へのマッサージを手軽にかつ正しく自動で行うことができ、優れたマッサージ効果を発揮し、下瞼のくま、むくみ等を効果的に緩和できる。【解決手段】手持ちされる本体ケース２に配したモータＭにより回転する回転軸３に、目頭の内側部分近傍Ｐｉと目尻の外側部分近傍Ｐｏとを通って旋回することにより目の周囲を押圧する押圧部４を形成する複数のマッサージローラ５を配するとともに、該マッサージローラ５の旋回方向を正逆に切り換える切換スイッチ６を具えた。【選択図】　図１
2004016584.tif 000002
【特許請求の範囲】
【請求項１】
下瞼のくま、むくみを緩和する手持ちマッサージ機であって、
手持ちされる本体ケースに配したモータにより回転する回転軸に、目頭の内側部分近傍と目尻の外側部分近傍とを通って旋回することにより目の周囲を押圧する押圧部を形成する複数のマッサージローラを配するとともに、該マッサージローラの旋回方向を正逆に切り換える切換スイッチを具えることを特徴とする手持ちマッサージ機。
【請求項２】
前記本体ケースは、少なくとも前記押圧部を覆い前記マッサージローラを内部で旋回させる非回転の保護シートを具えることを特徴とする請求項１記載の手持ちマッサージ機。
【請求項３】
前記マッサージローラは、前記回転軸から軸方向外側が半径方向外向きに傾斜する支持軸で枢支され、かつ長さ方向外側部分に、外側に向かって径を減じることにより目の周囲と有巾リング状の当接面を形成するテーパ状部分を具えることを特徴とする請求項１又は２記載の手持ちマッサージ機。
【請求項４】
前記マッサージローラの個数は４個であることを特徴とする請求項１〜３のいずれかに記載の手持ちマッサージ機。
【発明の詳細な説明】
【０００１】
【発明の属する技術分野】
本発明は、下瞼のくま、むくみを緩和する手持ちマッサージ機に関する。
【０００２】
【従来の技術、及び発明が解決しようとする課題】
下瞼のくま、むくみを緩和するためには、目の周りの血行を促進して下瞼の部分に停滞した血液を循環させることが必要である。そのために、図７に示すように、目の周囲を、目尻側から下瞼を通って目頭側に向かった後、上瞼を通って目尻側に戻る向きＦに円を描くように、即ち静脈の血流方向に沿ってマッサージすることが有効である。
【０００３】
このようなマッサージは、一般に、本人自信の手によってなされているが、面倒な作業であるため、充分時間を掛けて正しく行うことが難しく、優れたマッサージ効果が得られないという問題がある。
【０００４】
そこで本発明は、前記マッサージを手軽にかつ正しく自動で行うことができ、優れたマッサージ効果を発揮し、下瞼のくま、むくみ等を効果的に緩和しうる手持ちマッサージ機の提供を目的としている。
【０００５】
【課題を解決するための手段】
前記目的を達成するために、本願請求項１の発明は、下瞼のむくみを緩和する手持ちマッサージ機であって、
手持ちされる本体ケースに配したモータにより回転する回転軸に、目頭の内側部分近傍と目尻の外側部分近傍とを通って旋回することにより目の周囲を押圧する押圧部を形成する複数のマッサージローラを配するとともに、該マッサージローラの旋回方向を正逆に切り換える切換スイッチを具えることを特徴としている。
【０００６】
又請求項２の発明では、前記本体ケースは、少なくとも前記押圧部を覆い前記マッサージローラを内部で旋回させる非回転の保護シートを具えることを特徴としている。
【０００７】
又請求項３の発明では、前記マッサージローラは、前記回転軸から軸方向外側が半径方向外向きに傾斜する支持軸で枢支され、かつ長さ方向外側部分に、外側に向かって径を減じることにより目の周囲と有巾リング状の当接面を形成するテーパ状部分を具えることを特徴としている。
【０００８】
又請求項４の発明では、前記マッサージローラの個数は４個であることを特徴としている。
【０００９】
【発明の実施の形態】
以下、本発明の実施の一形態を、図示例とともに説明する。図１は、本発明の手持ちマッサージ機を示す側面図である。
図１において、手持ちマッサージ機１は、手持ちされる本体ケース２に配したモータＭにより回転する回転軸３に、目の周囲を押圧する押圧部４を形成する複数のマッサージローラ５を旋回可能に配するとともに、この旋回方向を正逆に切り換える切換スイッチ６を具える。
【００１０】
前記本体ケース２は、手持ち可能な筒状の容器であって、その内部には、図２に示す如く、モータＭと、それを作動させるバッテリＢと、前記モータＭの出力軸Ｍａに減速手段Ｒを介して連係される回転軸３とを収容している。
【００１１】
本例では、前記バッテリＢとして乾電池の場合を例示しているが、他に充電可能な蓄電池、交流電源からの交流をモータ用の直流に変えるＡＣアダプター等であってもよい。また前記減速手段Ｒとしては、遊星歯車機構を用いた周知構成の遊星歯車装置が、減速比が大きくかつコンパクトでありしかも入出力軸が同芯をなすなどの観点から好適に採用でき、本例では、前記回転軸３の回転速度が１０〜３０ｒｐｍの範囲になるまで減速している。
【００１２】
また前記本体ケース２には、前記モータＭを入切りするとともに前記回転軸３の回転方向を正逆に切り換える切換スイッチ６が配される。
【００１３】
そして、前記回転軸３の前端部には、図３、４に拡大して示すように、ローラホルダ７を介して本例では４個のマッサージローラ５が取り付けられる。
【００１４】
前記ローラホルダ７は、前記回転軸３に同心に固定される円柱状の基体７Ａ前端に、先細円錐状をなすコーン部７Ｂを形成している。またこのコーン部７Ｂには、前記回転軸３から軸方向外側が半径方向外向きに傾斜する４本の支持軸８が、周方向に対して等角度ピッチで突設される。本例では、各支持軸８の軸心が、前記回転軸３の軸心上の一点を起点として、コーン面Ｓと略直角にのびる場合を例示している。なお前記支持軸８の軸心の前記回転軸３の軸心からの傾斜角度θは、４５°〜６０°の範囲が好ましい。
【００１５】
次に、前記マッサージローラ５は、前記支持軸８に回転自在に枢支される円柱状の基体９を有し、この基体９の長さ方向外側部分には、外側に向かって径を減じたテーパ状部分９Ａを形成している。このテーパ状部分９Ａは、顔との接触面積を適度に高め、かつ接触感覚を改善させる。
【００１６】
従って、マッサージローラ５は、図５に概念的に示すように、目頭の内側部分近傍Ｐｉと目尻の外側部分近傍Ｐｏとを通って、回転軸廻りで公転状に旋回でき、これによって目の周囲を押圧しながら旋回しマッサージを行う。このとき、前記テーパ状部分９Ａは、目の周囲と接して、この目の周囲に有巾リング状の当接面１０を形成する。
【００１７】
ここで、各マッサージローラ５は、その支持軸廻りで自転状に回転しうる。従って、前記旋回の際には、顔の皮膚表面上を擦ることなく滑らかに転動でき、オイルや化粧料等を使用することなく手軽にマッサージを行いうるとともに、擦れによる皮膚への刺激、ダメージ、或いは擦れ痕の発生を抑制できる。特に目の周囲は、多くの神経が集中したデリケートな箇所であるため、本例の如く、前記マッサージローラ５の外周面を、前記支持軸８の軸心を含む子午断面において、曲率半径ｒ（図３に示す）が１５〜３０ｍｍの凸円弧とし、皮膚への接触をより優しくさせるのが好ましい。
【００１８】
また本例では、皮膚への接触をさらに優しくするために、前記本体ケース２に、少なくとも前記押圧部４を覆い、前記マッサージローラ５を内部で旋回させる非回転の袋状の保護シート１１を着脱自在に配している。この保護シート１１は、ゴム弾性材、本例ではシリコンゴムからなり、皮膚表面をマッサージローラ５から保護するとともに、埃などのマッサージ機１内への浸入を防止する。
【００１９】
このようなマッサージ機１は、停滞した血液を、マッサージローラ５、５間でとらえて静脈の血流方向に導くなど、血行の促進効果を高く発揮することができ、下瞼のくま、むくみ等を効果的に緩和させることができる。なお、停滞した血液を血流方向に導くためには、前述の図７で示す方向Ｆでマッサージする、即ち、左目、右目でマッサージの方向を違えることが必要であり、そのために本発明では、旋回方向を切り換える切換スイッチ６を設けている。
【００２０】
ここで、マッサージ効果を最大限に高めるためには、マッサージローラ５の個数を３〜４個、特に４個とするのが好ましく、３個未満では少なすぎ、また４個を越えるとローラ間の距離が過小となって、何れもマッサージ効果が減じる傾向となる。またマッサージ効果のためには、回転軸３の回転速度、即ちマッサージローラ５の旋回速度を、前記１０〜３０ｒｐｍの範囲とするのが好ましい。
【００２１】
なお、図６（Ａ）〜（Ｃ）に、マッサージローラ５の他の例を示す。マッサージローラ５は、その全体を、外側に向かって径を減じるテーパ状部９Ａで形成しても良い。また要求により、図６（Ｂ）、（Ｃ）の如く、マッサージローラ５を、直円柱状体で形成しても、或いは外側に向かって径が増加する外テーパ状とすることもでき、係る場合にも外端は、円弧面によってエッジを丸く形成する。
【００２２】
以上、本発明の特に好ましい実施形態について詳述したが、本発明は図示の実施形態に限定されることなく、種々の態様に変形して実施しうる。
【００２３】
【発明の効果】
本発明は叙上の如く構成しているため、目の周囲へのマッサージを手軽にかつ正しく自動で行うことができ、優れたマッサージ効果を発揮し、下瞼のくま、むくみ等を効果的に緩和しうる。
【図面の簡単な説明】
【図１】本発明の手持ちマッサージ機の一実施例を示す側面図である。
【図２】本体ケースの内部を示す断面図である。
【図３】押圧部を示す断面図である。
【図４】押圧部の正面図である。
【図５】押圧部の作用を説明する線図である。
【図６】（Ａ）〜（Ｃ）は、マッサージローラの他の例を示す断面図である。
【図７】目の周囲への好ましいマッサージを説明する線図である。
【符号の説明】
２　　　本体ケース
３　　　回転軸
４　　　押圧部
５　　　マッサージローラ
６　　　切換スイッチ
８　　　支持軸
９Ａ　　テーパ状部分
１０　　当接面
１１　　保護シート
Ｍ　　　モータ
Ｐｉ　　目頭の内側部分近傍
Ｐｏ　　目尻の外側部分近傍
【図１】
2004016584.tif 000003
【図２】
2004016584.tif 000004
【図３】
2004016584.tif 000005
【図４】
2004016584.tif 000006
【図５】
2004016584.tif 000007
【図６】
2004016584.tif 000008
【図７】
2004016584.tif 000009